(57)【特許請求の範囲】
【請求項１】
シートを載置する給紙トレイと、この給紙トレイ上のシートに接触してシートを繰り出す繰出ローラと、繰り出されたシートを１枚に分離して給紙する給紙ローラと分離部材からなる分離手段と、前記繰出ローラをシートに接触させた繰出位置とシートから離間させた待機位置とに昇降移動させる昇降手段と、を備えた給紙装置において、
前記繰出ローラを前記待機位置で保持する保持位置と該保持位置から退避した退避位置に移動自在に設けられた保持部材を設け、
前記保持部材は、前記繰出ローラの上昇によって前記保持位置に移動し、前記繰出ローラの下降によって前記退避位置に移動することを特徴とする給紙装置。
【請求項２】
前記保持部材を回転させる回転軸を設け、前記保持部材は前記回転軸を支点として前記保持位置と前記退避位置との間を回転移動することを特徴とする請求項１に記載の給紙装置。
【請求項３】
前記繰出ローラを支持するための支持手段を備え、前記支持手段は前記繰出ローラの昇降によって前記保持部材に当接し、該保持部材を移動させることを特徴とする請求項１または請求項２に記載の給紙装置。
【請求項４】
前記保持部材の移動を前記保持位置で規制する規制部材と、この規制部材側に前記保持部材を付勢する付勢部材と、を設けたことを特徴とする請求項１〜３のいずれか１つに記載の給紙装置。
【請求項５】
前記保持部材は、前記保持位置で前記給紙トレイ上に載置されるシートの上面を下流側に案内するガイド部材を備えることを特徴とする請求項１〜４のいずれか１つに記載の給紙装置。
【請求項６】
シートを載置する給紙トレイと、この給紙トレイ上のシートに接触してシートを繰り出す繰出ローラと、繰り出されたシートを１枚に分離して給紙する給紙ローラ及び分離部材からなる分離手段と、前記繰出ローラをシートに接触させた繰出位置とシートから離間させた待機位置とに昇降移動させる昇降手段と、を備えた給紙装置において、
前記繰出ローラを前記待機位置で保持するための保持手段を設け、
前記保持手段は、
前記繰出ローラを待機位置で保持する保持位置と該保持位置から退避した退避位置に移動自在に設けられた保持部材と、
前記保持部材の位置が所定位置よりも前記保持位置側にあるときには該保持位置側に前記保持部材を付勢し、前記保持部材の位置が前記所定位置よりも前記退避位置側にあるときには該退避位置側に前記保持部材を付勢するように配設された付勢部材と、を有し、
前記保持部材は、前記繰出ローラのシャフトまたは該繰出ローラを支持する支持ホルダの一部が当接して前記繰出ローラの下降によって前記保持位置から前記所定位置に移動し、前記付勢部材によって前記所定位置から前記退避位置に移動するとともに、前記繰出ローラの上昇によって前記退避位置から前記所定位置に移動し、前記付勢部材によって前記所定位置から前記保持位置に移動することを特徴とする給紙装置。
【請求項７】
前記ホルダ部材を回動自在に支持する駆動軸と、この駆動軸を駆動するための駆動手段と、前記駆動手段の駆動を駆動軸に伝達を制御するクラッチ手段と、を備えたことを特徴とする請求項６に記載の給紙装置。
【請求項８】
前記保持部材をＬ字状に樹脂形成し、Ｌ字状の前記保持部材は、Ｌ字状の前記保持部材の中央角部の側面に設けられて前記保持部材を回転移動させるための回転軸と、Ｌ字状の前記保持部材の内面側に設けられて前記繰出ローラの下降するときに前記繰出ローラのシャフトまたは前記支持ホルダの一部が当接する第１の当接部と、Ｌ字状の前記保持部材の内面側に設けられて前記繰出ローラの上昇するときに前記繰出ローラのシャフトまたは前記支持ホルダの一部が当接する第２の当接部と、を有することを特徴とする請求項６または請求項７に記載の給紙装置。
【発明の詳細な説明】
【技術分野】
【０００１】
本発明は、画像形成装置や画像読取装置などに搭載される給紙装置に関するものであり、詳しくは給紙トレイ上のシートを繰り出す繰出ローラを昇降させる機構を備える給紙装置に関する。
【背景技術】
【０００２】
従来、画像形成装置や原稿読取装置本体に搭載される給紙装置はシート搬送装置の給紙部として組み込まれている。そして給紙装置が組み込まれたシート搬送装置は、シートを一枚ずつ分離して画像読取部に向けて原稿を給紙するための給紙部（給紙装置）と、給紙部から給紙された原稿を原稿読取装置上の読取プラテンに供給し、画像読み取り後に読取プラテンから排出する搬送部と、画像読取部から排出された原稿を排紙トレイに排紙する排紙部からなる。
【０００３】
シート搬送装置の給紙部は、例えば特許文献１のように給紙トレイからシートを繰り出す昇降自在な繰出ローラと、繰出ローラから繰り出されるシートを１枚に分離するための給紙ローラ及び分離ローラが設けられている。そして、繰出ローラ及び給紙ローラは駆動モータに駆動伝達機構を介して駆動連結されており、この駆動伝達機構は、駆動モータに駆動伝達するための複数のギヤやタイミングベルトと駆動モータの駆動の伝達を制御するための電磁クラッチにて構成されている。
【０００４】
また、特許文献１においては、前記電磁クラッチによって駆動モータの駆動伝達が遮断された場合に、繰出ローラが待機位置に保持されずに落下することを防止するために給紙ローラの駆動軸の端部にトルクリミッタを設けている。
【先行技術文献】
【特許文献】
【０００５】
【特許文献１】特開２００２−２４９２４６号公報
【発明の概要】
【発明が解決しようとする課題】
【０００６】
しかしながら、特許文献１のようなシート搬送装置の給紙部にあっては、繰出ローラの退避位置からの落下を防止する手段としてトリクリミッタを用いているので、給紙ローラを駆動させる際に常時トルクリミッタによる制動力が付与されているため給紙ローラの駆動軸に大きなトルクが必要となる。よって、給紙ローラの駆動軸を駆動させるための駆動モータには出力トルクの大きい高価で、大型のモータを採用しなければならず、装置が大型化し、またコストアップするとの問題が生じてした。
【０００７】
本発明は上記の問題点に鑑みてなされものであり、装置の大型化やコストアップを招くことなく、繰出ローラを昇降させるための駆動が遮断されても繰出ローラを待機位置に保持することができる給紙装置を提供することを目的とするものである。
【課題を解決するための手段】
【０００８】
上記課題を解決するために本発明の給紙装置は、シートを載置する給紙トレイと、この給紙トレイ上のシートに接触して原稿を繰り出す繰出ローラと、繰り出されたシートを１枚に分離して給紙する給紙ローラと分離部材からなる分離手段と、繰出ローラをシートに接触させた繰出位置とシートから離間させた待機位置とに昇降移動させる昇降手段と、を備えた給紙装置において、繰出ローラを待機位置で保持する保持位置と該保持位置から退避した退避位置に移動自在に設けられた保持部材と、保持部材は、繰出ローラの上昇によって保持位置に移動し、繰出ローラの下降によって前記退避位置に移動する。
【０００９】
また、本発明の給紙装置は、シートを載置する給紙トレイと、この給紙トレイ上のシートに接触して原稿を繰り出す繰出ローラと、繰り出されたシートを１枚に分離して給紙する給紙ローラ及び分離部材からなる分離手段と、繰出ローラをシートに接触させた繰出位置とシートから離間させた待機位置とに昇降移動させる昇降手段と、を備えた給紙装置において、繰出ローラを待機位置で保持するための保持手段を設け、保持手段は、繰出ローラを待機位置で保持する保持位置と該保持位置から退避した退避位置に移動自在に設けられた保持部材と、保持部材の位置が所定位置よりも保持位置側にあるときには該保持位置側に保持部材を付勢し、保持部材の位置が所定位置よりも退避位置側にあるときには該待機位置側に保持部材を付勢するように配設された付勢部材と、を有し、保持部材は、繰出ローラのシャフトまたは該繰出ローラを支持する支持ホルダの一部が当接して繰出ローラの下降によって保持位置から所定位置に移動し、付勢部材によって所定位置から退避位置に移動するとともに、繰出ローラの上昇によって所定位置に移動し、付勢部材によって所定位置から前記保持位置に移動する。
【発明の効果】
【００１０】
上記発明によれば、繰出ローラの昇降動作に連動して繰出ローラを保持する位置と保持が解除される位置に移動する保持部材を設けたので、確実に繰出ローラを待機位置に保持し、給紙トレイ上への原稿セットを容易に行うことができる。
【図面の簡単な説明】
【００１１】
【図１】本発明に係る給紙装置としての給紙部を備える原稿搬送装置及び原稿搬送装置が搭載される原稿読取装置本体を示す断面図である。
【図２】本発明に係る原稿搬送装置における給紙系の駆動機構を示す駆動図である。
【図３】本発明の係る原稿搬送装置における片面読取動作の制御フローチャート図である。
【図４】本発明の係る原稿搬送装置における両面読取動作の制御フローチャート図である。
【図５】本発明の係る保持手段の構成を示す断面図である。
【図６】本発明の係る保持手段の保持手段の構成を示す斜視図である。
【図７】本発明の係る保持手段の作用を示す模式図である。
【図８】本発明の係る保持手段の作用を示す模式図である。
【図９】本発明に係る保持手段の変形例を示す断面図である。
【発明を実施するための形態】
【００１２】
図１は本発明に係る給紙装置としての給紙部を備える原稿搬送装置及びこの原稿搬送装置が搭載される原稿読取装置本体を示す断面図である。本実施の形態においては、本発明に係る給紙装置を適用された原稿搬送装置について説明する。
【００１３】
図１において、１０は読取装置本体１に搭載された原稿搬送装置である。原稿搬送装置１０は、原稿読取装置本体１の上面を覆うように配置され、ヒンジ装置（図示せず）によって原稿読取装置本体１の上面に対して開閉自在に取り付けられている。
【００１４】
原稿読取装置本体１は、コンタクトガラス２を介してランプ等の光源３からの光を搬送される原稿に照射し、その反射光を複数のミラー４で反射させてＣＣＤ６などの読取手段により光電変換した原稿画像よみとる。すなわち、コンタクトガラス２上面が原稿読取装置本体１の読取部を構成している。なお、原稿読取装置本体１は原稿を載置可能な面積のコンタクトガラス５も備えており、原稿搬送装置１０を開閉してコンタクトガラス５に載置された原稿を光源３やミラー４などからなる光源ユニットを副走査方向に移動させることによってコンタクトガラス５を介して原稿の画像を読み取ることもできる。
【００１５】
原稿搬送装置１０は、複数枚の原稿を載置可能な給紙トレイ２０と、読み取られた原稿を収納する排紙トレイ２１と、給紙トレイ２０上の原稿の最上面に接して原稿を繰り出す昇降自在な繰出ローラ３０と、繰り出された原稿を給紙する給紙ローラ３１と、給紙ローラ３１に圧接されて原稿の重送を阻止する分離パット３２と、原稿の先端を突き当てて整合した後にコンタクトガラス２上に供給する一対のレジストローラ対３３と、コンタクトガラス２の下流側に設けられてコンタクトガラス２を通過した原稿を搬送する一対のリードローラ３４と、が設けられている。また、一対のリードローラ３４の下流側には原稿を排紙トレイ２１に排紙するに排紙ローラ対３５が設けられており、この排紙ローラ対３５は後述するが両面モードの際に原稿の後端側をニップした状態で逆回転して原稿をスイッチバックして、再びレジストローラ対３３に搬送する。
【００１６】
そして、上述した各ローラを駆動制御することによって、給紙トレイ２０上の原稿は、給紙ローラ３１からレジストローラ対３３に至る給紙路２３に沿って案内され、レジストローラ対３３からリードローラ対３４に至る搬送路２４を介して、リードローラ対３４から排紙ローラ対３５に至る排紙路２５から排紙トレイ２１上に排紙される。また、両面モードの際には、原稿は排紙路２５の下流側で原稿がスイッチバックされ、排紙ローラ対３５からレジストローラ対３３に至るスイッチバック路２６に沿ってレジストローラ対３３に案内される。なお、本実施の形態においてはスイッチバック路２６の上流側の一部を排紙路２５の一部と兼用し、スイッチバック路２６の下流側の一部を給紙路２５の下流側の一部と兼用している。
【００１７】
給紙路２３は、図１に示すように上ガイド板２３ａおよび下ガイド２３ｂが対向して形成されており、上ガイド板２３ａは回動支点７０ｂに回動可能に支持された給紙カバー７０に固設されて一体に図中反時計廻りに回動されることにより開閉することができるようになっている。なお、給紙カバー７０には繰出ローラ３０や給紙ローラ３１が配設されて一体に回動するようになっている。これにより、原稿トレイ２０からレジストローラ対３３の手前までの給紙路２３の全てが連続して露出するように開放され、容易にジャム原稿を取り除くができる構成となっている。
【００１８】
次に、各ローラの駆動構成について説明すると、各ローラは正逆転自在な１つの駆動モータＭＴによって駆動する。また、駆動モータＭＴの駆動伝達機構は、複数のギヤやプーリ、プーリに巻き掛けられたタイミングベルトからなり、駆動モータＭＴとともに原稿搬送装置のリア側に配置されている。
【００１９】
駆動伝達機構は、繰出ローラ３０及び給紙ローラ３１に駆動を伝達するための給紙系の駆動機構と、レジストローラ対３３の駆動ローラ及びリードローラ対３４の駆動ローラに駆動を伝達するための搬送系の駆動伝達機構と、排紙ローラ対３５の駆動ローラに駆動を伝達する排紙系の駆動伝達機構で構成されている。そして、給紙系、搬送系、排紙系の駆動伝達機構は、駆動手段としての単一の駆動モータＭＴに連結されている。
【００２０】
給紙系の駆動機構は、図２に示すようにクラッチ手段としての第１の電磁クラッチＥＣＬ１を備えており、この第１の電磁クラッチＥＣＬ１を制御することで駆動モータＭＴからの駆動を繰出ローラ３０及び給紙ローラ３１に伝達または遮断し、繰出ローラ３０及び給紙ローラ３１の駆動を制御する。また、搬送系の駆動伝達機構は、第２の電磁クラッチＥＣＬ２（図示せず）を備えており、この第２の電磁クラッチＥＣＬ２を制御することで駆動モータＭＴからの駆動をレジストローラ対３３、リードローラ対３４に伝達、遮断し、駆動をレジストローラ対３３、リードローラ対３４の駆動を制御する。排紙系の駆動伝達機構は、排紙ローラ対３５に駆動モータＭＴの駆動が直接伝達され、給紙モータの正逆転駆動によって正逆転駆動する。
【００２１】
繰出ローラ３０のシャフト３０ａは、図２に示すように支持ホルダ４０に回転自在に支持されている。支持ホルダ４０はその一端を給紙ローラ３１のシャフト３１ａに回動自在に支持されている。また、支持ホルダ４０は給紙ローラ３１のシャフト３１ａと駆動連結されており、シャフト３１ａの正逆転によって支持ホルダ４０が上下方向に回動するように構成されている。これによって、繰出ローラ３０が原稿に接触する繰出位置と原稿から離間した待機位置に昇降する。さらに支持ホルダ４０には、給紙ローラ３１のシャフト３１ａの回転を繰出ローラ３０のシャフト３０ａに伝達する複数のギヤＺ１、Ｚ２、Ｚ３が取り付けられている。すなわち、繰出ローラ３０はシャフト３０ａ及び支持ホルダ４０からなる支持手段によって昇降及び回転駆動するように構成されている。
【００２２】
なお、支持ホルダ４０と給紙ローラ３１のシャフト３１ａとは第１のバネクラッチＳＣＬ１を介して駆動連結されており、この第１のバネクラッチＳＣＬ１は繰出ローラ３０が下降して原稿に当接し、所定のトルクが発生すると駆動連結が切断するようになっている。一方、駆動モータＭＴから給紙ローラ３０のシャフト３０ａに駆動を伝達する駆動伝達機構には第２のバネクラッチＳＣＬ２が設けられている。この第２のバネクラッチＳＣＬ２は繰出ローラ３０が上昇して弾性部材７５に当接し、所定のトルクが発生すると駆動モータＭＴからの駆動連結が切断する。
【００２３】
また、第１の連結ギヤＺＡと第２の連結ギヤＺＢは、給紙カバー７０の回動に伴なって離間、連結するように構成させている。つまり、給紙カバー７０が開状態のときには第１の連結ギヤＺＡと第２の連結ギヤＺＢは離間し、給紙カバー７０が閉状態のときには第１の連結ギヤＺＡと第２の連結ギヤＺＢは連結する。
【００２４】
図１に示すように原稿トレイ２０には給紙トレイ２０上に原稿が載置されたことを検出するエンプティセンサＳ１が配置されている。また、給紙路２３内におけるレジストローラ対３３の手前には給紙される原稿の端部を検出するレジストセンサＳ２が配置され、レジストローラ対３３とコンタクトガラス２の間にはリードセンサＳ３が配置されている。
【００２５】
これらの各センサＳ１、Ｓ２、Ｓ３は、装置全体の駆動を制御するＣＰＵに接続されており、各センサからの検知信号に基づいて、駆動モータＭＴ及び第１の電磁クラッチＥＣＬ１、第２の電磁クラッチＥＣＬ２が制御される。
【００２６】
次に、上記構成からなる原稿搬送装置の原稿搬送制御動作を図３、図４に示すフローチャート図に基づき説明する。
【００２７】
まず、原稿の片面を読み取る片面読取動作について説明すると、エンプティセンサＳ１がＯＮ状態、すなわち給紙トレイ２０上に原稿が載置されたことが検知されると駆動モータＭＴが正転駆動し、同時に第１の電磁クラッチＥＣＬ１をＯＮする（ＳＴ１〜ＳＴ２）。これによって、繰出ローラ３０及び給紙ローラ３１が回転駆動し、給紙トレイ２０上の原稿が給紙される。そして、レジストセンサＳ２が原稿の先端を検出するとレジスト動作１が実行される（ＳＴ３、ＳＴ４）。
【００２８】
レジスト動作１では、第２の電磁クラッチＥＣＬ２をＯＦＦし、レジストローラ対３３を停止する（ＳＴ３１）。同時にモータの駆動パルス数のカウントを開始し、パルス数が所定パルス数Ａに到達すると第１の電磁クラッチＥＣＬ１をＯＦＦする（ＳＴ３２〜ＳＴ３３）。これによって、繰出ローラ３０及び給紙ローラ３１は一旦停止される。このとき、原稿の先端はレジストローラ対３３のニップ部に突き当てられて撓みが形成されて原稿の先端が整合し、原稿の傾き（スキュー）が矯正される。
【００２９】
レジスト動作１が実行され、原稿の先端がレジストローラ対３３のニップ部に突き当てた状態で第２の電磁クラッチＥＣＬ２をＯＮする（ＳＴ５）。これによって、レジストローラ対３３が回転駆動し、原稿はコンタクトガラス２に搬送される。レジストローラ対３３によってコンタクトガラス２に搬送された原稿はコンタクトガラス２の上面に沿って搬送され、リードローラ対３４及び排紙ローラ対３５によって排紙トレイ２１に排紙される。なお、コンタクトガラス２の上面に沿って搬送される過程で原稿は読取手段によって読取られる。また、第２の電磁クラッチＥＣＬ２をＯＮした後、レジストローラ対３３、リードローラ対３４、排紙ローラ対３５で搬送される原稿の後端がレジストセンサＳ２によって検出されると再び第１の電磁クラッチＥＣＬ１をＯＮして次原稿の給紙を開始させる（ＳＴ６、ＳＴ２）。
【００３０】
次に、原稿の両面を読み取る両面読取動作について説明すると、給紙トレイ２０上に原稿が載置されたことがエンプティセンサＳ１で検知されると駆動モータＭＴを正転駆動し、第１の電磁クラッチＥＣＬ１をＯＮする（ＳＴ１１〜ＳＴ１２）。これによって、繰出ローラ１８、給紙ローラ１９が回転駆動して原稿を給紙する。そして、片面読取動作と同様にレジストセンサＳ２が原稿の先端を検出した時点でレジスト動作１（ＳＴ４）が実行され、原稿の先端が整合される（ＳＴ１３、ＳＴ１４）。
【００３１】
レジスト動作１によって原稿の先端が整合されると第２の電磁クラッチＥＣＬ２をＯＮし、レジストローラ対３３によってコンタクトガラス２上に原稿を搬送し、通過させる（ＳＴ１５）。このコンタクトガラス２を通過する過程で原稿の表面が読取手段によって読み取られる。
【００３２】
コンタクトガラス２を通過した原稿は、リードローラ３４及び排紙ローラ３５によって排紙トレイ２１上に送られる。そして、レジストセンサＳ２が原稿後端を検知した時点から駆動モータＭＴの駆動パルス数をカウントし、このカウント値が所定パルス数Ｂに到達した時点で駆動モータＭＴを正転から逆転駆動に切り換える（ＳＴ１６〜１８）。これによって、排紙ローラ対３５が正転から逆転に切り換わり、排紙路２５で原稿はスイッチバックされる。なお、上述の所定パルス数ＢはレジストセンサＳ２からフラッパ３６と排紙ローラ対３５の間の所定位置に至る距離に相当する駆動モータＭＴの駆動パルス数である。
【００３３】
排紙ローラ対３５によってスイッチバックされた原稿はスイッチパック路２６に沿ってレジストローラ対３３に向って案内される。そして、原稿の先端が再びレジストセンサＳ２に検出されるとレジスト動作２が実行される（ＳＴ１９〜ＳＴ２０）。
【００３４】
レジスト動作２では、第２の電磁クラッチＥＣＬ２をＯＦＦし、レジストローラ対３３を停止する（ＳＴ４１）。同時に駆動モータの駆動パルス数のカウントを開始し、パルス数が所定パルス数Ａに到達するまで駆動モータＭＴを逆転駆動させる（ＳＴ４２）。これによって、原稿の先端はレジストローラ対３３のニップ部に突き当てられて撓み（レジストループ）が形成され、原稿の先端が整合される。駆動モータＭＴのパルス数が所定パルス数（パルスＡ）に到達すると駆動モータＭＴを逆転駆動から正転駆動に切り換える（ＳＴ４３）。
【００３５】
レジスト動作２が実行されると第２の電磁クラッチＥＣＬ２をＯＮする（ＳＴ２１）。これによって、レジスローラ対３３が正回転駆動し、原稿は反転しつつコンタクトガラス２上に搬送される。そして、原稿の裏面が読取手段によって読み取られる。
【００３６】
その後、裏面が読み取られた原稿の後端がレジストセンサＳ２によって検出され、原稿が所定パルス数Ｂだけ搬送されると駆動モータＭＴを正転から逆転に切り換える（ＳＴ２２〜ＳＴ２４）。これによって、排紙ローラ対３５が正回転から逆回転に切り換わる。そして、排紙ローラ対３５の回転方向が切り換わることによって、原稿が排紙路２５内で再びスイッチバックされ、スイッチバック路２６に沿ってレジストローラ対３３に向けて送られる。そして、レジストセンサＳ２が原稿の先端を検出するとレジスト動作２（ＳＴ２０）が再度実行される（ＳＴ２５〜ＳＴ２６）。
【００３７】
レジスト動作２の実行後、第２の電磁クラッチＥＣＬ２をＯＮする（ＳＴ２７）。これによって、レジストローラ対３３が回転駆動し、原稿が反転してコンタクトガラス２に搬送される。そして、原稿はコンタククトガラス２を通過した後、リードローラ対３４、排紙ローラ対３５によって排紙トレイ２１に搬送される。なお、ステップ２５〜ステップ２７の動作は排紙トレイ２１に収納される原稿の頁順を揃えるための動作である。このため、ここでは、コンタクトガラス２を通過する原稿の読み取りは行われない。
【００３８】
そして、頁揃えのために反転した原稿の後端がレジストセンサＳ２によって検出されると再び第１の電磁クラッチＥＣＬ１をＯＮして次原稿の給紙を開始させる（ＳＴ２８、ＳＴ１２）。
【００３９】
ここで、給紙部には繰出ローラ３０を上方の待機位置に保持するための保持手段が設けられている。図５保持手段の構成を示す断面図、図６は保持手段の構成を示す斜視図、図７及び図８は保持手段の作用状態を示す模式図である。
【００４０】
保持手段は、図５に示すように繰出ローラ３０に当接して下降することを妨げる保持部材５０と、保持部材５０を繰出ローラ３０を退避位置に保持する保持位置と繰出ローラ３０の下降を許容する退避位置に移動させるための付勢部材としての付勢バネ６０で構成されている。
【００４１】
保持部材５０は、第１の部分５１とこの第１の部分５１から折れ曲がった第２の部分５２からなるＬ字状に形成されている。そして、Ｌ字状の保持部材５０の第１の部分５１の両側面、すなわち保持部材５０の中央角部の両側面にはそれぞれ回転軸５６が設けられている。この回転軸５６は、給紙カバー７０の内側に突出した一対のリブ状の軸支持部７１に回転自在に取り付けられている。保持部材５０には、給紙カバー７０の内側に形成された突部７３に当接して保持部材５０の時計廻り方向の回転を規制する規制片５９が設けられている。なお、保持部材５０の反時計廻り方向の回転はＬ字状の保持部材５０の第２の部分５２の外面５３が給紙カバー７０の突部７３に当接して規制される。なお、本実施例においては図７（ａ）に示すように給紙カバー７０の内側に形成された突部７３にスポンジ７４を貼り付け、保持部材５０の規制片５４及び保持部材５０の一端側部分５０ａの外面５０ｃが突起６３に当接する際の衝撃や騒音を緩和している。
【００４２】
付勢バネ６０は、その一端をＬ字状の保持部材５０の第１の部分５１に設けられた取付ピン５７に取り付けられている。一方、付勢バネ６０の他端は、給紙カバー６０の内側から突出した取付部７２のフック７２ａに取り付けられる。なお、取付ピン５７と取付部７２は前記回転軸５６を挟むように設けられており、取付ピン５７の位置によって保持部材５０の付勢方向が切り替わるように配置されている。
【００４３】
なお、符号５８は、繰出ローラ３０のシャフト３０ａに沿って延設されたガイド部材である。このガイド部材５８は保持部材５０と一体形成されており、保持部材５０が保持位置にあるとき、つまり繰出ローラ３０が待機位置にあるときに給紙トレイ２０にセットされる原稿を下流のセット位置に案内する。特に先端が上側に変形した原稿が繰出ローラ３０やその周辺の部品に接触することを防ぎ、原稿の搬送不良を未然に防ぐようになっている。
【００４４】
次に、保持手段の保持・解除動作について図７、図８に基づき説明する。保持部材５０は繰出ローラ３０が待機位置から繰出位置に移動することによって保持位置から退避位置に移動し、繰出ローラ３０が繰出位置から待機位置に移動することによって退避位置から保持位置に移動するように構成されている。
【００４５】
先ず、保持部材５０の保持位置から退避位置への移動について説明すると、繰出ローラ３０が待機位置にある状態において保持部材５０は、図７（ａ）に示すように付勢バネ６０によって反時計廻り方向に付勢され、その外側面５３が給紙カバー７０の突部７３に当接して停止している。そして、繰出ローラ３０は、そのシャフト３０ａがＬ字状の保持部材５０の第１の部分５１の内側面５５（第１の当接面）に当接し、その下降が阻止されている。
【００４６】
図７（ａ）に示すような状態から駆動モータＭＴを正転駆動すると支持ホルダ４０が給紙ローラ３１のシャフト３１ａを支点に下方に回動する。これによって、繰出ローラ３０が下降し、繰出ローラ３０のシャフト３０ａが付勢バネ６０の付勢力に抗してＬ字状の保持部材５０の第１の部分５１を押し下げる。この繰出ローラ３０による押し下げ動作によって保持部材３０が時計回り方向に回転する。そして、図７（ｂ）に示すように保持部材５０の取付ピン５７の位置が、付勢バネ６０の一端が取り付けられる取付点Ａと保持部材５０の回転支点Ｂを結ぶ直線Ｘを越えて下方に移動すると付勢バネ６０は保持部材５０を時計廻り方向に回転させるように作用する。この付勢バネ６０の作用によって保持部材５０は時計廻り方向に回転し、保持部材５０の規制片５９が給紙カバー７０の突部７３に当接すると保持部材５０は停止する。つまり、保持部材５０は図中の直線Ｘの位置までは繰出ローラ５０の下降によって回転し、直線Ｘの位置からは付勢バネ６０の作用によって回転する。
【００４７】
一方、繰出ローラ３０は駆動モータＭＴの正転駆動によって下降し、図８（ａ）に示すように給紙トレイ２０上の原稿の上面に当接して原稿を繰り出す。
【００４８】
次に、保持部材５０の退避位置から保持位置への移動について説明すると、繰出ローラ３０が繰出位置にある状態において保持部材５０は、図８（ａ）に示すように付勢バネ６０によって時計廻り方向に付勢され、その規制片５９が給紙カバー７０の突部７３に当接して退避位置で停止している。このとき、繰出ローラ３０は原稿の上面または給紙トレイ２０の載置面に接触し、保持部材５０の第１の部分５１は繰出ローラ３０の昇降軌跡から退避した位置にある。
【００４９】
図８（ａ）に示すような状態から駆動モータＭＴを逆転駆動すると支持ホルダ４０が給紙ローラ３１のシャフト３１ａを支点に上方に回動する。これによって、繰出ローラ３０が上昇し、給紙ローラ３１のシャフト３１ａが保持部材５０の第２の部分５２の内側面５４（第２の当接部）に当接する。そして、繰出ローラ３０のシャフト３０ａが付勢バネ６０の付勢力に抗してＬ字状の保持部材５０の第２の部分５２を押し上げる。この繰出ローラ３０の押し上げ動作によって保持部材３０が反時計回り方向に回転する。そして、図８（ｂ）に示すように保持部材５０の取付ピン５７の位置が上記の直線Ｘを越えて上方に移動すると付勢バネ６０は保持部材５０を時計廻り方向に回転させるように作用する。この付勢バネ６０の作用によって保持部材５０は反時計廻り方向に回転し、保持部材５０の第２の部分５２の外側面５３が給紙カバー７０の突部７３に当接すると保持位置で停止する。このとき、図６に示すように支持ホルダ４０の繰出ローラ３０を支持する部分が給紙カバー７０の内側に取り付けられたゴムなどの弾性部材７５に当接して停止し、保持部材５０の第１の部分５１の内側面５５は繰出ローラ３０が自重によって下降するのを阻止する位置に移動する。したがって、図７（ａ）に示す状態で電磁クラッチがＯＦＦされても繰出ローラ３０のシャフト３０ａが保持部材５０の第１の部分５１の内側面５５に当接して繰出ローラ３０の下降が阻止される。また、給紙カバー７０の開動作によって駆動手段の駆動が切り離されても繰出ローラ３０を待機位置に保持することができる。
【００５０】
なお、上記の実施の形態においては、繰出ローラ３０のシャフト３０ａを保持部材５０の第１の部分５１の内側面５５及び第２の部分５２の内側面５４に当接するようにしたが、図９に示すように支持ホルダ４０の一側部（繰出ローラ３０のシャフト３０ａの延設方向の側部）に作動片８０を突出させ、この作動片８０を保持部材５０の第１の部分５１の内側面５５及び第２の部分５２の内側面５４に当接するように構成し、保持手段５０の保持・解除の動作をさせるようにしてもよい。
【００５１】
上記の実施の形態においては、本発明の給紙装置を原稿搬送装置に適用した一例を説明したが、本発明の給紙装置はプリンタや複写機などの画像形成装置の給紙部に適用してもよいことは勿論である。
【００５２】
上記の実施の形態によれば、保持部材５０の保持位置から退避位置への移動は、図中の直線Ｘの位置までは繰出ローラ５０の下降によって移動し、直線Ｘの位置からは付勢バネ６０の作用によって移動される。一方、保持部材５０の退避位置から保持位置への移動は、前記直線Ｘの位置までは繰出ローラ５０の上昇によって移動し、直線Ｘの位置からは付勢バネ６０の作用によって移動される。
【００５３】
そして、このような構成によって、駆動機構の連結が断たれた場合であっても、簡素な構成で確実に繰出ローラを待機位置に保持し、給紙トレイ上への原稿セットを容易に行うことができる。
【００５４】
なお、繰出ローラを待機位置に保持するために、樹脂や金属による板バネの先端に「く」の字の湾曲部を形成し、この湾曲部に繰出ローラを嵌め込んで保持することも考えられる。しかしながら、板バネを用いると経時的な変形や取り付け誤差などによって保持力が損なわれ、繰出ローラが落下する恐れがある。これに対して、本実施の形態における保持手段によれば、確実に繰出ローラを待機位置に保持することができる。
【符号の説明】
【００５５】
１    読取装置本体
１０  原稿搬送装置
２０  給紙トレイ
３０  繰出ローラ
３１  給紙ローラ
４０  支持ホルダ
５０  保持部材
５８  ガイド
６０  付勢バネ
７０  給紙カバー
ＭＴ  駆動モータ
ＥＣＬ１  第１の電磁クラッチ
【図１】
0005930606.tif 000002
【図２】
0005930606.tif 000003
【図３】
0005930606.tif 000004
【図４】
0005930606.tif 000005
【図５】
0005930606.tif 000006
【図６】
0005930606.tif 000007
【図７】
0005930606.tif 000008
【図８】
0005930606.tif 000009
【図９】
0005930606.tif 000010